【手続補正書】
【提出日】平成17年8月25日(2005.8.25)
【手続補正１】
【補正対象書類名】明細書
【補正対象項目名】特許請求の範囲
【補正方法】変更
【補正の内容】
【特許請求の範囲】
【請求項１】
弾性層を有する像加熱用回転体と、固定支持され、上記像加熱用回転体の外表面との間で形成した第１ニップ部より、像加熱用回転体表面を外部加熱する板状加熱ヒータと、上記像加熱用回転体に圧接して第２ニップ部を形成する加圧部材と、を有し、
上記第２ニップ部に記録材を導入して挟持搬送させることで記録材上の画像を加熱する像加熱装置であり、
上記板状加熱ヒータに供給する目標供給電力量を設定し、画像加熱時に少なくとも上記像加熱用回転体が１周する範囲においては略一定の電力を加熱ヒータに供給することを特徴とする像加熱装置。
【請求項２】
第１ニップ部にシートを介在させ、該シートを間欠的に移動させて第１ニップ部におけるシート部分を更新する手段を有することを特徴とする前記請求項１に記載の像加熱装置。
【請求項３】
連続して記録材上の画像を加熱する場合、加熱ヒータへの供給電力量を記録材枚数に応じて徐々に小さく設定することを特徴とする前記請求項１あるいは２に記載の像加熱装置。
【請求項４】
像加熱用回転体表面の温度を検知する温度検知手段を有し、
像加熱用回転体表面検知温度が目標温度から所定量ずれた場合に、加熱ヒータへの目標供給電力量に補正を加えることを特徴とする前記請求項１から３の何れか１つに記載の像加熱装置。
【請求項５】
加熱ヒータ背面に加熱ヒータの温度を検知する温度検知手段を有し、
加熱ヒータ背面の検知温度が所定温度を越えた場合に、加熱ヒータへの目標供給電力量、像加熱用回転体表面温度の目標温度の少なくとも一方の値を下げることを特徴とする前記請求項１から４の何れか１つに記載の像加熱装置。
【請求項６】
像加熱用回転体表面の温度を検知する温度検知手段と、加熱ヒータ背面に加熱ヒータの温度を検知する温度検知手段とを有し、
加熱ヒータへの通電を開始する前の像加熱用回転体表面温度、加熱ヒータ背面の温度、および加熱ヒータへの通電を開始してから記録材が第２ニップ部まで到達するまでの間の所定時間内の供給電力、所定電力供給時の像加熱用回転体表面昇温スピード、加熱ヒータ背面の温度上昇スピードの少なくとも１つの情報を元に加熱ヒータへの供給電力を決定することを特徴とする前記請求項１から５の何れか１つに記載の像加熱装置。
【請求項７】
像加熱用回転体の弾性層がスポンジゴムあるいは中空の充填材を含むことを特徴とする前記請求項１から６の何れか１つに記載の像加熱装置。
【請求項８】
記録材の面に未定着トナー画像を形成担持させる作像手段と、記録材の面に形成された未定着画像を永久画像として定着させる定着手段を有する画像形成装置において、定着手段が前記請求項１から７の何れか１つに記載の像加熱装置であることを特徴とする画像形成装置。
【請求項９】
画像形成装置の一部に外気温検知手段を設け、該検知手段の検知温度に応じて像加熱装置の加熱ヒータへの供給電力量に補正を加えることを特徴とする前記請求項８に記載の画像形成装置。
【請求項１０】
画像形成装置に記録材の厚みを検知する厚み検知手段を有し、厚み検知手段によって検知された記録材の厚みに応じて像加熱装置の加熱ヒータへの供給電力量に補正を加えることを特徴とする前記請求項８あるいは９に記載の画像形成装置。
【請求項１１】
記録材上に未定着トナー画像を形成する画像形成手段と、
像加熱用回転体、上記像加熱用回転体に圧接してニップ部を形成する加圧部材、及び電力供給されることにより上記ニップ部とは異なる所定位置で上記像加熱用回転体を昇温させる手段を備え、記録材を上記ニップ部に挟持搬送させることで記録材上の未定着トナー画像を加熱定着する定着装置と、
上記像加熱用回転体の温度が目標温度となるように供給電力を制御した後、記録材先端が上記ニップ部で接した上記像加熱用回転体の部分が前記所定位置に到達する前のタイミングで所定電力の供給を開始するとともに、少なくとも上記像加熱用回転体が１周する範囲においては略一定の電力を供給し続ける電力制御手段とを有することを特徴とする画像形成装置。
【請求項１２】
前記所定位置において、上記像加熱用回転体とともに移動するシートを介在して加熱ヒータにより上記像加熱用回転体が加熱されることを特徴とする請求項１１に記載の画像形成装置。
【請求項１３】
連続して記録材上の画像を加熱する場合、供給電力を記録材枚数に応じて徐々に小さく設定することを特徴とする請求項１２に記載の画像形成装置。
【請求項１４】
像加熱用回転体表面の温度を検知する温度検知手段を有し、
像加熱用回転体表面検知温度が目標温度から所定量ずれた場合に、供給電力量に補正を加えることを特徴とする請求項１２又は１３の何れかに記載の画像形成装置。
【請求項１５】
加熱ヒータ背面に加熱ヒータの温度を検知する温度検知手段を有し、
加熱ヒータ背面の検知温度が所定温度を越えた場合に、加熱ヒータへの目標供給電力量、像加熱用回転体表面温度の目標温度の少なくとも一方の値を下げることを特徴とする請求項１２から１４の何れかに記載の画像形成装置。
【請求項１６】
像加熱用回転体表面の温度を検知する温度検知手段と、加熱ヒータ背面に加熱ヒータの温度を検知する温度検知手段とを有し、
加熱ヒータへの通電を開始する前の像加熱用回転体表面温度、加熱ヒータ背面の温度、および加熱ヒータへの通電を開始してから記録材が前記ニップ部まで到達するまでの間の所定時間内の供給電力、所定電力供給時の像加熱用回転体表面昇温スピード、加熱ヒータ背面の温度上昇スピードの少なくとも１つに基づいて前記所定電力を決定することを特徴とする請求項１２から１５の何れかに記載の画像形成装置。
【請求項１７】
像加熱用回転体が弾性層を含むことを特徴とする請求項１１から１６の何れかに記載の画像形成装置。
【請求項１８】
像加熱用回転体の弾性層がスポンジゴムあるいは中空の充填材を含むことを特徴とする請求項１７に記載の画像形成装置。
【請求項１９】
画像形成装置の一部に外気温検知手段を設け、該検知手段の検知温度に応じて前記所定電力を設定することを特徴とする請求項１１から１８の何れかに記載の画像形成装置。
【請求項２０】
画像形成装置に記録材の厚みを検知する厚み検知手段を有し、厚み検知手段によって検知された記録材の厚みに応じて前記所定電力を設定することを特徴とする請求項１１から１９の何れかに記載の画像形成装置。
【手続補正２】
【補正対象書類名】明細書
【補正対象項目名】００３７
【補正方法】変更
【補正の内容】
【００３７】
（１０）画像形成装置に記録材の厚みを検知する厚み検知手段を有し、厚み検知手段によって検知された記録材の厚みに応じて像加熱装置の加熱ヒータへの供給電力量に補正を加えることを特徴とする前記（８）あるいは（９）に記載の画像形成装置。
（１１）記録材上に未定着トナー画像を形成する画像形成手段と、
像加熱用回転体、上記像加熱用回転体に圧接してニップ部を形成する加圧部材、及び電力供給されることにより上記ニップ部とは異なる所定位置で上記像加熱用回転体を昇温させる手段を備え、記録材を上記ニップ部に挟持搬送させることで記録材上の未定着トナー画像を加熱定着する定着装置と、
上記像加熱用回転体の温度が目標温度となるように供給電力を制御した後、記録材先端が上記ニップ部で接した上記像加熱用回転体の部分が前記所定位置に到達する前のタイミングで所定電力の供給を開始するとともに、少なくとも上記像加熱用回転体が１周する範囲においては略一定の電力を供給し続ける電力制御手段とを有することを特徴とする画像形成装置。
（１２）前記所定位置において、上記像加熱用回転体とともに移動するシートを介在して加熱ヒータにより上記像加熱用回転体が加熱されることを特徴とする（１１）に記載の画像形成装置。
（１３）連続して記録材上の画像を加熱する場合、供給電力を記録材枚数に応じて徐々に小さく設定することを特徴とする（１２）に記載の画像形成装置。
（１４）像加熱用回転体表面の温度を検知する温度検知手段を有し、
像加熱用回転体表面検知温度が目標温度から所定量ずれた場合に、供給電力量に補正を加えることを特徴とする（１２）又は（１３）の何れかに記載の画像形成装置。
（１５）加熱ヒータ背面に加熱ヒータの温度を検知する温度検知手段を有し、
加熱ヒータ背面の検知温度が所定温度を越えた場合に、加熱ヒータへの目標供給電力量、像加熱用回転体表面温度の目標温度の少なくとも一方の値を下げることを特徴とする（１２）から（１４）の何れかに記載の画像形成装置。
（１６）像加熱用回転体表面の温度を検知する温度検知手段と、加熱ヒータ背面に加熱ヒータの温度を検知する温度検知手段とを有し、
加熱ヒータへの通電を開始する前の像加熱用回転体表面温度、加熱ヒータ背面の温度、および加熱ヒータへの通電を開始してから記録材が前記ニップ部まで到達するまでの間の所定時間内の供給電力、所定電力供給時の像加熱用回転体表面昇温スピード、加熱ヒータ背面の温度上昇スピードの少なくとも１つに基づいて前記所定電力を決定することを特徴とする（１２）から（１５）の何れかに記載の画像形成装置。
（１７）像加熱用回転体が弾性層を含むことを特徴とする（１１）から（１６）の何れかに記載の画像形成装置。
（１８）像加熱用回転体の弾性層がスポンジゴムあるいは中空の充填材を含むことを特徴とする（１７）に記載の画像形成装置。
（１９）画像形成装置の一部に外気温検知手段を設け、該検知手段の検知温度に応じて前記所定電力を設定することを特徴とする（１１）から（１８）の何れかに記載の画像形成装置。
（２０）画像形成装置に記録材の厚みを検知する厚み検知手段を有し、厚み検知手段によって検知された記録材の厚みに応じて前記所定電力を設定することを特徴とする（１１）から（１９）の何れかに記載の画像形成装置。